(57)【特許請求の範囲】
【請求項１】
遊技球が入賞可能な第１始動口及び第２始動口と、
前記第２始動口への遊技球の入賞を規制する閉止状態及び当該第２始動口への遊技球の入賞を許容する開成状態との間で動作可能な開閉手段と、
前記第１始動口又は第２始動口に遊技球が入賞したことを条件として大当たりか否か判定可能な遊技データを取得し得るとともに、前記開閉手段を制御することにより、前記第２始動口への入賞機会が少なく設定された第１の態様、又は所定条件の成立により前記第１の態様よりも前記第２始動口への入賞機会が増加した第２の態様とすることができるメイン制御基板と、
図柄を変動表示又は停止表示可能な図柄表示手段と、
前記第１始動口又は第２始動口に遊技球が入賞すると前記図柄表示手段にて図柄を変動表示させるとともに、前記第１始動口に遊技球が入賞したことを条件として前記メイン制御基板が取得した遊技データに応じて図柄を前記図柄表示手段にて停止表示させ、又は前記第２始動口に遊技球が入賞したことを条件として前記メイン制御基板が取得した遊技データに応じて図柄を前記図柄表示手段にて停止表示させる演出制御基板と、
を具備し、前記図柄表示手段にて所定の図柄が停止表示されると遊技者に有利な大当たり状態が発生し、多数の賞球を獲得可能とされた遊技機において、
前記第２の態様のときは、前記図柄表示手段における図柄の変動表示が、有利な遊技状態から不利な遊技状態となる可能性がある前記第１始動口への遊技球の入賞を契機としたものに限り、当該図柄の変動表示が前記第１始動口への遊技球の入賞を契機としたものであることを報知させるとともに、前記第１の態様のときは、前記図柄表示手段における図柄の変動表示が前記第２始動口への遊技球の入賞を契機としたものに限り、当該図柄の変動表示が前記第２始動口への遊技球の入賞を契機としたものであることを報知させる報知手段を具備したことを特徴とする遊技機。
【請求項２】
前記報知手段は、前記図柄表示手段による表示にて報知させることを特徴とする請求項１記載の遊技機。
【請求項３】
前記報知手段による報知は、遊技機が具備する演出のための演出手段を特別な形態で作動させることにより行われることを特徴とする請求項１記載の遊技機。
【発明の詳細な説明】
【技術分野】
【０００１】
本発明は、特別図柄表示手段にて所定の特別図柄が停止表示されると遊技者に有利な大当たりが発生し、多数の賞球を獲得可能とされる遊技機に関するものである。
【背景技術】
【０００２】
通常、例えば第１種とよばれるパチンコ遊技機においては、その遊技盤に液晶画面から成る表示手段や種々の入賞口等を具備しており、入賞口の一つである始動口に遊技球が入賞すると、特別図柄表示手段にて図柄を変動表示させ、それらが揃って停止表示された場合に遊技者に有利な「大当たり状態」とするとともに、賞球として多数の遊技球を獲得し得るよう構成されている。
【０００３】
また、多くのパチンコ遊技機においては、特別図柄表示手段に揃って停止表示された図柄が予め定められた特定の図柄である場合は、次回の大当たりの発生確率が高められ、遊技者に特典が与えられるようになっている。このようなパチンコ遊技機においては、大当たりとして、通常の大当たり（大当たりが通常の確率で発生する通常確率遊技状態）と、特定の大当たり（大当たりが高確率で発生する高確率遊技状態）との２種類のうちいずれかが選択的に設定されることとなり、遊技性が高められているのである。
【０００４】
また、通常確率遊技状態及び高確率遊技状態に加え、大入賞口の総開放時間が短く設定されて出玉が極めて少なく抑制される短当たり（例えば通常が１５ラウンド程度有するものに対し２ラウンド程度とされたもの）が選択的に設定されるものも提案されている。近時においては、始動口を２つ設け、一方を従来の如き始動口、他方を電動チューリップとしたパチンコ遊技機（例えば、特許文献１参照）が提案されるに至っており、一方の始動口に遊技球が入賞したときに第１特別図柄を停止表示させるとともに、他方の電動チューリップに遊技球が入賞したときに第２特別図柄を停止表示させる特別図柄表示手段を具備している。
【０００５】
上記の如きパチンコ遊技機においては、通常、一方の始動口（第１始動口）への入賞時よりも他方の電動チューリップ（第２始動口）に入賞したときの方が、遊技者に有利となり得るよう設定されている。例えば、高確率遊技状態において、電動チューリップに入賞した際には、次回の短当たりとなる確率が極めて低く（或いは短当たりにはならない）設定される一方、同じく高確率遊技状態であっても、第１始動口に入賞した際には、次回の遊技状態が短当たりとなる確率が比較的高く設定されたものが提供されている。
【先行技術文献】
【特許文献】
【０００６】
【特許文献１】特開２００８−１１３９５７号公報
【発明の概要】
【発明が解決しようとする課題】
【０００７】
しかしながら、上記従来技術においては、特別図柄表示手段にて停止表示された図柄が第１特別図柄なのか第２特別図柄なのか判別できないので、第１始動口に遊技球が入賞して大当たり状態が発生したのか、或いは第２始動口に遊技球が入賞して大当たり状態が発生したのか把握できない。しかるに、上述したように、第２始動口に遊技球が入賞して大当たり状態が発生した場合の方が、第１始動口に遊技球が入賞して大当たり状態が発生した場合よりも有利であることから、遊技者にとっては何れで大当たりしたのか関心が高い。
【０００８】
そこで、現時点で図柄変動表示における図柄の変動表示が第１始動口への遊技球の入賞を契機としたものか、或いは第２始動口への遊技球の入賞を契機としたものかを報知するよう構成することにより、遊技者の関心が高い事項を把握させるものが考えられる。しかしながら、その場合、図柄が変動表示されるたびに報知が行われるので、遊技者にとってあまり関心がない報知が頻繁に行われてしまい他の演出を妨げてしまう虞があった。
【０００９】
本発明は、このような事情に鑑みてなされたもので、何れの始動口への遊技球の入賞を契機とした図柄の変動なのかを報知し得るとともに、他の演出を妨げてしまうのを抑制することができる遊技機を提供することにある。
【課題を解決するための手段】
【００１０】
請求項１記載の発明は、遊技球が入賞可能な第１始動口及び第２始動口と、前記第２始動口への遊技球の入賞を規制する閉止状態及び当該第２始動口への遊技球の入賞を許容する開成状態との間で動作可能な開閉手段と、前記第１始動口又は第２始動口に遊技球が入賞したことを条件として大当たりか否か判定可能な遊技データを取得し得るとともに、前記開閉手段を制御することにより、前記第２始動口への入賞機会が少なく設定された第１の態様、又は所定条件の成立により前記第１の態様よりも前記第２始動口への入賞機会が増加した第２の態様とすることができるメイン制御基板と、図柄を変動表示又は停止表示可能な図柄表示手段と、前記第１始動口又は第２始動口に遊技球が入賞すると前記図柄表示手段にて図柄を変動表示させるとともに、前記第１始動口に遊技球が入賞したことを条件として前記メイン制御基板が取得した遊技データに応じて図柄を前記図柄表示手段にて停止表示させ、又は前記第２始動口に遊技球が入賞したことを条件として前記メイン制御基板が取得した遊技データに応じて図柄を前記図柄表示手段にて停止表示させる演出制御基板とを具備し、前記図柄表示手段にて所定の図柄が停止表示されると遊技者に有利な大当たり状態が発生し、多数の賞球を獲得可能とされた遊技機において、前記第２の態様のときは、前記図柄表示手段における図柄の変動表示が前記第１始動口への遊技球の入賞を契機としたものに限り、当該図柄の変動表示が、有利な遊技状態から不利な遊技状態となる可能性がある前記第１始動口への遊技球の入賞を契機としたものであることを報知させるとともに、前記第１の態様のときは、前記図柄表示手段における図柄の変動表示が前記第２始動口への遊技球の入賞を契機としたものに限り、当該図柄の変動表示が前記第２始動口への遊技球の入賞を契機としたものであることを報知させる報知手段を具備したことを特徴とする。
【００１２】
請求項２記載の発明は、請求項１記載の遊技機において、前記報知手段は、前記図柄表示手段による表示にて報知させることを特徴とする。
【００１３】
請求項３記載の発明は、請求項１記載の遊技機において、前記報知手段による報知は、遊技機が具備する演出のための演出手段を特別な形態で作動させることにより行われることを特徴とする。
【発明の効果】
【００１４】
請求項１の発明によれば、第２の態様のときは、図柄表示手段における図柄の変動表示が、有利な遊技状態から不利な遊技状態となる可能性がある第１始動口への遊技球の入賞を契機としたものに限り、当該図柄の変動表示が第１始動口への遊技球の入賞を契機としたものであることを報知させる報知手段を具備したので、何れの始動口（第２の態様のときの第１始動口）への遊技球の入賞を契機とした図柄の変動なのかを報知し得るとともに、他の演出を妨げてしまうのを抑制することができる。
【００１５】
すなわち、第２の態様のときは、図柄表示手段における図柄の変動表示が第１始動口への遊技球の入賞を契機としたものであれば、その旨を報知するので、遊技者にとって関心のある有利な遊技状態から不利な遊技状態となる可能性を把握させることができるとともに、特別図柄表示手段における図柄の変動表示が第２始動口への遊技球の入賞を契機としたものであれば、その旨を報知しないので、遊技者にとってあまり関心がない報知が頻繁になされてしまうのを抑制でき、他の演出を妨げてしまうのを抑制できるのである。
【００１６】
さらに、報知手段は、第１の態様のときは、図柄表示手段における図柄の変動表示が第２始動口への遊技球の入賞を契機としたものに限り、当該図柄の変動表示が第２始動口への遊技球の入賞を契機としたものであることを報知させるので、何れの始動口（第１の態様のときの第２始動口）への遊技球の入賞を契機とした図柄の変動なのかを報知し得るとともに、他の演出を妨げてしまうのを抑制することができる。
【００１７】
請求項２の発明によれば、報知手段は、図柄表示手段による表示にて報知させるので、何れの始動口への遊技球の入賞を契機とした図柄の変動なのかをより確実に報知することができる。
【００１８】
請求項３の発明によれば、報知手段による報知は、遊技機が具備する演出のための演出手段を特別な形態で作動させるので、図柄表示手段における図柄の表示又は演出表示等を妨げることなく、何れの始動口への遊技球の入賞を契機とした図柄の変動なのかを報知することができる。
【図面の簡単な説明】
【００１９】
【図１】本発明の実施形態に係る遊技機を示す正面模式図
【図２】同遊技機の構成要素を示すブロック図
【図３】同遊技機における電動チューリップの状態を示す模式図であって、（ａ）閉止状態、（ｂ）開成状態、を示す図
【図４】同遊技機の報知手段による報知（第２の形態のとき）が行われている図柄表示手段を示す模式図
【図５】同遊技機の報知手段による報知（第１の形態のとき）が行われている図柄表示手段を示す模式図
【図６】本発明の他の実施形態に係る報知手段による報知（第２の形態のとき）が行われている図柄表示手段を示す模式図
【図７】本発明の他の実施形態に係る報知手段による報知（第１の形態のとき）が行われている図柄表示手段を示す模式図
【発明を実施するための形態】
【００２０】
以下、本発明の実施形態について図面を参照しながら具体的に説明する。
本実施形態に係る遊技機は、パチンコ遊技機から成るもので、図１に示すように、ガラス板２が取り付けられた前面枠３を有しており、かかるガラス板２から遊技者が遊技盤４を目視し得るよう構成されている。この遊技盤４には、種々役物や複数の釘、或いは風車等が形成されている。さらに、遊技盤４には、第１始動口６、第２始動口７ａ（図３参照）を有した電動チューリップ７（開閉手段）、大入賞口８、及びゲート９等が形成されている。なお、パチンコ遊技機１の下方右隅部にはハンドル１４が配設されており、該ハンドル１４の回動操作により受け皿１３内の遊技球を遊技盤４へ打ち出すよう構成されている。
【００２１】
第１始動口６と電動チューリップ７は、遊技盤４上の図柄表示手段５（具体的には液晶画像表示器）の下方において、上下に並んで配置されたものであり、それぞれが独立して遊技球を入賞させ得るようになっている。このうち、第１始動口６は、上方に向けて開口して遊技球の入賞を常に許容した状態とされ、遊技球が入賞すると、その入賞信号をメイン制御基板１７（図２参照）に送信し、大当たりか否か判定可能な数値データ（具体的には、大当たり用乱数値及び演出用乱数値）を取得させ得るよう構成されている。
【００２２】
一方、電動チューリップ７内に形成された第２始動口７ａは、可変入賞口と呼ばれるもので、図３に示すように、開閉手段としての電動チューリップ７が、遊技球の入賞を規制する閉止状態（同図（ａ）参照）から、遊技球の入賞を許容する開成状態（同図（ｂ）参照）まで動作することにより、遊技球が入賞可能とされるものである。しかして、第２始動口７ａは、電動チューリップ７が開成状態となって遊技球が入賞すると、その入賞信号をメイン制御基板１７（図２参照）に送信し、大当たりか否か判定可能な数値データ（具体的には、大当たり用乱数値及び演出用乱数値）を取得させるよう構成されている。
【００２３】
さらに、本実施形態に係るパチンコ遊技機１には、例えば７セグ等から成る第１特別図柄表示手段１０及び第２特別図柄表示手段１１がそれぞれ形成されている。第１特別図柄表示手段１０は、第１始動口６に遊技球が入賞すると特別図柄（第１特別図柄）を変動表示し、当該第１始動口６への入賞時に取得した乱数値（大当たり用乱数値）に応じた特別図柄を停止表示するものであり、第２特別図柄表示手段１１は、電動チューリップ７が開成状態とされることで第２始動口７ａに遊技球が入賞すると、特別図柄（第２特別図柄）を変動表示し、当該第２始動口７ａへの入賞時に取得した乱数値（大当たり用乱数値）に応じた特別図柄を停止表示するものである。
【００２４】
すなわち、第１始動口６に対する入賞と電動チューリップ７の第２始動口７ａに対する入賞とでは、互いに独立した制御がなされることとなり、第１始動口６への入賞時には第１特別図柄表示手段１０による第１特別図柄の変動表示が開始され、電動チューリップ７の第２始動口７ａへの入賞時には第２特別図柄表示手段１１による第２特別図柄の変動表示が開始されるようになっている。
【００２５】
ゲート９は、遊技球が通過可能とされたものであり、他の入賞口と異なり、通過による賞球の払出はなされないものである。また、第１特別図柄表示手段１０及び第２特別図柄表示手段１１の近傍には普通図柄表示手段１２が配設されている。かかる普通図柄表示手段１２は、ゲート９を遊技球が通過すると普通図柄を変動表示（本実施形態においては、丸印とバツ印とを交互に点灯表示）させ、所定の普通図柄（本実施形態においては丸印）が停止表示されると、「当たり」となって電動チューリップ７を所定時間開成させるようになっている。
【００２６】
なお、本実施形態においては、第１始動口６への入賞時よりも電動チューリップ７（第２始動口７ａ）に入賞したときの方が、遊技者に有利となり得るよう設定されている。例えば、高確率遊技状態において、電動チューリップ７の第２始動口７ａに入賞した際には、短当たりとなる確率が極めて低く（或いは短当たりにはならない）設定される一方、同じく高確率遊技状態であっても、第１始動口６に入賞した際には、遊技状態が短当たりとなる確率が比較的高く設定されている。
【００２７】
ここで、「短当たり」とは、第１始動口６もしくは第２始動口７ａに遊技球が入球したことを条件として行われる大当たり状態の抽選において、短当たり遊技を実行する権利を獲得した場合に実行される遊技状態をいう。かかる「短当たり遊技状態」においては、大入賞口８が開放されるラウンド遊技を「長当たり」より少ない計２回行うものとされるが、各ラウンド遊技においては、大入賞口８が１回のみ開放し、その開放時間が０．１秒に設定されている。
【００２８】
これに対し、「長当たり」とは、第１始動口６または第２始動口７ａに遊技球が入球したことを条件として行われる大当たりの抽選において、長当たり遊技を実行する権利を獲得した場合に実行される遊技状態をいう。かかる「長当たり遊技状態」においては、大入賞口８が開放されるラウンド遊技を計１５回行うものとされ、各ラウンド遊技における大入賞口８の総開放時間は最大３０秒に設定されており、この間に大入賞口８に所定個数の遊技球（例えば９個）が入球すると、１回のラウンド遊技が終了となるよう設定されている。
【００２９】
図柄表示手段５は、遊技盤４の略中央に配設された液晶表示装置等から成り、その画面に所定の図柄や背景等を表示し得るとともに、第１特別図柄表示手段１０に対応した図柄（装飾図柄）又は第２特別図柄表示手段１１に対応した図柄（装飾図柄）を変動表示又は停止表示可能とされている。そして、所定の図柄が停止表示（例えば同一図柄が揃って停止表示）されることにより「大当たり状態」が発生し、大入賞口８を所定時間及びタイミングで開口させ、多数の遊技球を獲得できるよう構成されている。
【００３０】
ここで、本発明（本実施形態を含む）においては、図柄表示手段５にて変動表示又は停止表示される第１特別図柄に対応した装飾図柄を「第１特別図柄」とも称するとともに、図柄表示手段５にて変動表示又は停止表示される第２特別図柄に対応した装飾図柄を「第２特別図柄」とも称するものとする。すなわち、第１特別図柄表示手段１０にて変動又は停止表示される第１特別図柄、及び第２特別図柄表示手段１１にて変動又は停止表示される第２特別図柄は、図柄表示手段５にて変動又は停止表示される装飾図柄と常に対応する関係にあるので、図柄の名称を同一としているのである。
【００３１】
なお、図柄表示手段５にて停止表示された図柄が予め定められた特定の図柄である場合（即ち、第１始動口６又は電動チューリップ７の第２始動口７ａへの入賞時に取得した乱数値（大当たり用乱数値）に応じて予め定められた特別図柄が第１特別図柄表示手段１０又は第２特別図柄表示手段１１で停止表示された場合）には、大当たりの発生確率が通常より高められる特典が遊技者に与えられる。すなわち、大当たり状態の終了時に、その大当たり状態を生じさせた停止図柄が特定図柄であることを条件に、次の大当たりが高確率で発生するという特典が遊技者に与えられるのである。このように、大当たり状態が通常確率で発生する遊技状態を通常確率遊技状態と称するとともに、大当たり状態が当該通常確率よりも高確率で発生する遊技状態を高確率遊技状態と称するものとする。
【００３２】
第１特別図柄保留ランプ１５は、図柄表示手段５（第１特別図柄表示手段１０及び第２特別図柄表示手段１１も同様）にて図柄（第１特別図柄又は第２特別図柄）が変動表示されている間において、第１始動口６に遊技球が入賞した場合、所定個数（本実施形態においては４個）を限度として、その入賞した遊技球を保留球として保留させたものの個数を表示するものである。同様に、第２特別図柄保留ランプ１６は、図柄表示手段５（第１特別図柄表示手段１０及び第２特別図柄表示手段１１も同様）にて図柄（第１特別図柄又は第２特別図柄）が変動表示されている間において、第１始動口６に遊技球が入賞した場合、所定個数（本実施形態においては４個）を限度として、その入賞した遊技球を保留球として保留させた個数を表示するものである。
【００３３】
さらに、本実施形態に係るパチンコ遊技機１の裏面には、図２に示すように、メイン制御基板１７と、サブ制御基板１８とが配設されている。このうち、サブ制御基板１８は、メイン制御基板１７から送信された制御信号に基づき各種制御を行わせるもので、図柄表示手段５やスピーカ等と電気的に接続された演出制御基板１９と、装飾ランプや可動役物等と電気的に接続されたランプ制御基板２０と、払出駆動モータ等と電気的に接続された払出制御基板２１とを有して構成されている。
【００３４】
メイン制御基板１７は、パチンコ遊技機１全般に亘る遊技内容を制御するもので、ＣＰＵ、ＲＯＭ及びＲＡＭ等を有して構成されている。このメイン制御基板１７には、既述した第１特別図柄表示手段１０、第２特別図柄表示手段１１、普通図柄表示手段１２、第１特別図柄保留ランプ１５及び第２特別図柄保留ランプ１６の他、第１始動口６及び第２始動口７ａへの遊技球の入賞を検知するための始動口ＳＷ、開閉手段としての電動チューリップ７を駆動させるための電動チューリップ７のソレノイド、ゲート９の遊技球の通過を検知するためのゲートＳＷ、大入賞口８への遊技球の入賞を検知するための大入賞口ＳＷ及び当該大入賞口８を駆動させるための大入賞口ソレノイド等が電気的に接続されている。
【００３５】
さらに、本実施形態に係るメイン制御基板１７は、始動口（第１始動口６及び第２始動口７ａ）への遊技球の入賞を契機として遊技者に有利な大当たり状態又ははずれを決定するための大当たり用数値データ（乱数値）及び演出形態を決定するための演出用数値データ（乱数値）を取得する抽選手段２２と、始動口（第１始動口６又は第２始動口７ａ）に遊技球が入賞したことを契機として取得された数値データ（大当たり用数値データ及び演出用数値データ）を保留データとして記憶する記憶手段２３と、保留球処理手段２４とを有している。
【００３６】
記憶手段２３は、第１始動口６に遊技球が入賞したことを契機として取得された数値データ（大当たり用数値データ及び演出用数値データ）を第１保留データとして記憶し、第２始動口７ａに遊技球が入賞したことを契機として取得された数値データ（大当たり用数値データ及び演出用数値データ）を第２保留データとして記憶するものとされている。保留球処理手段２４は、図柄表示手段５にて図柄が変動表示されている間に第１始動口６又は第２始動口７ａに遊技球が入賞した場合、保留球として記憶して第１特別図柄保留ランプ１５又は第２特別図柄保留ランプ１６にて表示させるものである。
【００３７】
特に、本実施形態に係るメイン制御基板１７は、第１始動口１６又は第２始動口７ａに遊技球が入賞したことを条件として大当たりか否か判定可能な遊技データ（大当たり用数値データ及び演出用数値データ）を取得し得るとともに、電動チューリップ７（開閉手段）を制御することにより、第２始動口７ａへの入賞機会が少なく設定された第１の態様、又は所定条件の成立（本実施形態においては、普通図柄表示手段１２にて所定の普通図柄が停止表示）により第１の態様よりも第２始動口７ａへの入賞機会が増加した第２の態様（例えば、電動チューリップ７の開成状態の時間が長くなる等）とすることができるよう構成されている。
【００３８】
演出制御基板１９は、ＣＰＵ、ＲＯＭ及びＲＡＭ等を有して構成されたもので、メイン制御基板１７から送信された制御信号に基づき主に演出に関わる各種制御を行わせるものである。本実施形態に係る演出制御基板１９は、第１始動口６又は第２始動口７ａに遊技球が入賞すると図柄表示手段５にて図柄を変動表示させるとともに、第１始動口に遊技球が入賞したことを条件としてメイン制御基板１７が取得した遊技データに応じて第１特別図柄を停止表示させ、又は第２始動口７ａに遊技球が入賞したことを条件としてメイン制御基板１７が取得した遊技データに応じて第２特別図柄を停止表示させるよう構成されている。なお、演出制御基板１９は、ランプ制御基板２０とも電気的に接続されており、メイン制御基板１７から送信された制御信号に基づき、ランプ制御基板２０を介して、装飾ランプや可動役物等を制御して所定の演出を行わせるよう構成されている。
【００３９】
特に、本実施形態に係る演出制御基板１９は、変動表示制御手段２５と、報知手段２６とを有している。変動表示制御手段２５は、記憶手段２３で記憶された保留データに基づき表示手段（図柄表示手段５）にて特別図柄（厳密には、第１特別図柄又は第２特別図柄に対応した装飾図柄）を変動表示させるものである。なお、変動表示制御手段２５は、第１保留データに基づいて第１特別図柄を変動表示させ、第２保留データに基づいて第２特別図柄を変動表示させるとともに、第２特別図柄の変動表示を第１特別図柄の変動表示よりも優先して行う（所謂「優先変動」する）ものとされている。
【００４０】
報知手段２６は、メイン制御基板１７にて設定された遊技状態が第２の態様のとき、図柄表示手段５における図柄の変動表示が第１始動口６への遊技球の入賞を契機としたものに限り、当該図柄の変動表示が第１始動口６への遊技球の入賞を契機としたものであることを報知させるものである。すなわち、報知手段２６は、第２の態様のとき、図柄表示手段５における図柄の変動表示が第２始動口７ａへの遊技球の入賞を契機としたものであれば、遊技者にとってあまり関心がないことから、その旨を報知させず、専ら図柄表示手段５における図柄の変動表示が第１始動口６への遊技球の入賞を契機としたもの（有利な遊技状態から不利な遊技状態へ移行する可能性があるもの）に限り、その旨を報知させるのである。
【００４１】
さらに、報知手段２６は、メイン制御基板１７にて設定された遊技状態が第１の態様のとき、図柄表示手段５における図柄の変動表示が第２始動口７ａへの遊技球の入賞を契機としたものに限り、当該図柄の変動表示が前記第２始動口７ａへの遊技球の入賞を契機としたものであることを報知させるものである。すなわち、報知手段２６は、第１の態様のとき、図柄表示手段５における図柄の変動表示が第１始動口６への遊技球の入賞を契機としたものであれば、遊技者にとってあまり関心がないことから、その旨を報知させず、専ら図柄表示手段５における図柄の変動表示が第２始動口７ａへの遊技球の入賞を契機としたもの（不利な遊技状態から有利な遊技状態へ移行する可能性があるもの）に限り、その旨を報知させるのである。
【００４２】
ここで、本実施形態に係る報知手段２６は、図柄表示手段５による表示にて報知させるものとされ、例えば遊技状態が第２の態様のとき、図柄表示手段５における図柄の変動表示が第１始動口６への遊技球の入賞を契機としたものである場合においては、図４に示すように、図柄表示手段５の一部（図柄の変動表示を妨げない位置が好ましい）に「第１始動口の入賞による変動中」なる報知の表示を行わせる一方、図柄表示手段５における図柄の変動表示が第２始動口７ａへの遊技球の入賞を契機としたものである場合においては、当該報知の表示を行わせないようになっている。
【００４３】
また、報知手段２６は、例えば遊技状態が第１の態様のとき、図柄表示手段５における図柄の変動表示が第２始動口７ａへの遊技球の入賞を契機としたものである場合においては、図５に示すように、図柄表示手段５の一部（図柄の変動表示を妨げない位置が好ましい）に「第２始動口の入賞による変動中」なる報知の表示を行わせる一方、図柄表示手段５における図柄の変動表示が第１始動口６への遊技球の入賞を契機としたものである場合においては、当該報知の表示を行わせないようになっている。
【００４４】
しかるに、第１特別図柄保留ランプ１５及び第２特別図柄保留ランプ１６に代えて、図６、７に示すように、図柄表示手段５の一部に保留球の個数を表示する（図柄表示手段５にて図柄が変動表示されている間において、第１始動口６に遊技球が入賞した場合の保留球の個数を第１特別図柄保留表示部１５’、第２始動口７ａに遊技球が入賞した場合の保留球の個数を第２特別図柄保留表示部１６’にてそれぞれ表示する）ものに適用してもよい。
【００４５】
この場合、例えば遊技状態が第２の態様のとき、図柄表示手段５における図柄の変動表示が第１始動口６への遊技球の入賞を契機としたものである場合においては、図６に示すように、第１特別図柄保留表示部１５’の表示を第２特別図柄保留表示部１６’の表示より大きく（又は第１特別図柄保留表示部１５’を点滅表示）して報知を行わせる一方、図柄表示手段５における図柄の変動表示が第２始動口７ａへの遊技球の入賞を契機としたものである場合においては、第１特別図柄保留表示部１５’の表示と第２特別図柄保留表示部１６’の表示を通常通り同一として当該報知の表示を行わせないようにする。
【００４６】
さらに、報知手段２６による報知は、上記図柄表示手段５にて行うものに代えて或いは加えて、パチンコ遊技機１が具備する演出のための演出手段を特別な形態で作動させることにより行われるものとしてもよい。例えば可動役物の動作（通常とは異なる特別な動作等）、ランプの点滅又は点灯、スピーカからの音声又は効果音の出力等により、報知手段２６による報知を行わせるようにしてもよい。
【００４７】
上記実施形態によれば、第２の態様のとき、図柄表示手段５における図柄の変動表示が第１始動口６への遊技球の入賞を契機としたものに限り、当該図柄の変動表示が第１始動口６への遊技球の入賞を契機としたものであることを報知させる報知手段２６を具備したので、何れの始動口（第２の態様のときの第１始動口６）への遊技球の入賞を契機とした図柄の変動なのかを報知し得るとともに、技者にとってあまり関心のない報知（第２の態様のときの第２始動口７ａの入賞）を抑制して他の演出を妨げてしまうのを抑制することができる。
【００４８】
すなわち、第２の態様のとき、図柄表示手段５における図柄の変動表示が第１始動口６への遊技球の入賞を契機としたものであれば、その旨を報知するので、遊技者にとって関心のある有利な状態から不利な状態となる可能性を把握させることができるとともに、特別図柄表示手段における図柄の変動表示が第２始動口７ａへの遊技球の入賞を契機としたものであれば、その旨を報知しないので、遊技者にとってあまり関心がない報知が頻繁になされてしまうのを抑制でき、他の演出を妨げてしまうのを抑制できるのである。
【００４９】
また、報知手段２６は、第１の態様のとき、図柄表示手段５における図柄の変動表示が第２始動口７ａへの遊技球の入賞を契機としたものに限り、当該図柄の変動表示が第２始動口７ａへの遊技球の入賞を契機としたものであることを報知させるので、何れの始動口（第１の態様のときの第２始動口７ａ）への遊技球の入賞を契機とした図柄の変動なのかを報知し得るとともに、遊技者にとってあまり関心のない報知を抑制して他の演出を妨げてしまうのを抑制することができる。
【００５０】
さらに、本実施形態に係る報知手段２６は、図柄表示手段５による表示にて報知させるので、何れの始動口への遊技球の入賞を契機とした図柄の変動なのかをより確実に報知することができる。なお、報知手段２６による報知は、パチンコ遊技機１が具備する演出のための演出手段を特別な形態で作動させるようにすれば、図柄表示手段５における図柄の表示又は演出表示等を妨げることなく、何れの始動口への遊技球の入賞を契機とした図柄の変動なのかを報知することができる。
【００５１】
以上、本実施形態について説明したが、本発明はこれに限定されるものではなく、例えば、本実施形態においては、第２特別図柄の変動表示を第１特別図柄の変動表示よりも優先して行わせているが、かかる優先を行わせないものとしてもよい。
【産業上の利用可能性】
【００５２】
第２の態様のときは、図柄表示手段における図柄の変動表示が、有利な遊技状態から不利な遊技状態となる可能性がある第１始動口への遊技球の入賞を契機としたものに限り、当該図柄の変動表示が第１始動口への遊技球の入賞を契機としたものであることを報知させるとともに、第１の態様のときは、図柄表示手段における図柄の変動表示が第２始動口への遊技球の入賞を契機としたものに限り、当該図柄の変動表示が第２始動口への遊技球の入賞を契機としたものであることを報知させる報知手段を具備した遊技機であれば、外観形状が異なるもの或いは他の機能が付加されたもの等にも適用することができる。
【符号の説明】
【００５３】
１…パチンコ遊技機
２…ガラス板
３…前面枠
４…遊技盤
５…図柄表示手段
６…第１始動口
７…電動チューリップ（開閉手段）
７ａ…第２始動口
８…大入賞口
９…ゲート
１０…第１特別図柄表示手段
１１…第２特別図柄表示手段
１２…普通図柄表示手段
１３…受け皿
１４…ハンドル
１５…第１特別図柄保留ランプ
１６…第２特別図柄保留ランプ
１７…メイン制御基板
１８…サブ制御基板
１９…演出制御基板
２０…ランプ制御基板
２１…払出制御基板
２２…抽選手段
２３…記憶手段
２４…保留球処理手段
２５…変動表示制御手段
２６…報知手段
【図１】
0005936596.tif 000002
【図２】
0005936596.tif 000003
【図３】
0005936596.tif 000004
【図４】
0005936596.tif 000005
【図５】
0005936596.tif 000006
【図６】
0005936596.tif 000007
【図７】
0005936596.tif 000008